(57)【特許請求の範囲】
【請求項１】
ディスプレイモジュールを駆動させる回路と、システムのボードコネクターに連結されるモジュールコネクターと、共通電圧（Ｖｃｏｍ）を調整して揺れを最適化させる可変抵抗が装着されたＰＣＢと、前記ＰＣＢを電磁妨害雑音（ＥＭＩ）から保護する保護カバーとが前記ディスプレイモジュールの後面に備えられた液晶表示装置において、
前記保護カバーと一体化され、前記可変抵抗が位置する部位に開閉可能に設置され、そして前記可変抵抗を調整するときに開放されて前記可変抵抗を露出させる開閉構造を備えることを特徴とする液晶表示装置の保護カバー。
【請求項２】
前記開閉構造は、
前記保護カバーを前記可変抵抗の位置及び大きさに応じてＵ字状に切開して、その切開部を上方向／下方向に折り曲げて開閉する構造であることを特徴とする請求項１記載の液晶表示装置の保護カバー。
【請求項３】
前記切開部が容易に把持できるように前記切開部の先端の角部が面取りされることを特徴とする請求項２記載の液晶表示装置の保護カバー。
【請求項４】
前記モジュールコネクターに前記ボードコネクターを着脱することができるように、前記保護カバーののうち、前記モジュールコネクターが位置する部位にボードコネクター着脱用の開閉構造が更に形成されていることを特徴とする請求項１記載の液晶表示装置の保護カバー。
【請求項５】
前記ボードコネクター着脱用の開閉構造は、
前記モジュールコネクターの先端に位置する保護カバーに薄いスリットを形成して、前記ボードコネクターをモジュールコネクターに差し込む時に開くことができ、かつ引き抜く時に閉まる構造であることを特徴とする請求項４記載の液晶表示装置の保護カバー。
【発明の詳細な説明】
【０００１】
【発明の属する技術分野】
本発明は液晶表示装置の保護カバーに関し、更に詳しくは液晶表示装置の後面に装着された印刷回路基板（以下「ＰＣＢ」という）を保護するために、ＰＣＢ上面を覆う保護カバーに関する。
【０００２】
【従来の技術】
一般に、液晶表示装置は、映像出力用機器又はシステムとしての携帯用コンピュータ又はモニターなどのシステムハウジング内に備えられ、映像を出力する装置として、厚さが薄く、目の疲労が少なく、電磁波が殆ど発生しないためその使用頻度が益々増加している傾向にある。
【０００３】
一方、周知のとおり、液晶表示装置は、光を発するバックライト部と、そのバックライト部の前面に備えられ、該バックライト部からの光を受けて画像を出力させる液晶ファンネル部又はディスプレイ部とからなる液晶型ディスプレイモジュールがケースにより結合され、前記液晶ファンネル部に入っている液晶の分子運動を用いて映像を表示させる。
【０００４】
また、前記液晶表示装置は、図１に示すように、該液晶表示装置１００の後面に、前記ディスプレイモジュールを駆動させる回路１と、システムのボードコネクター（図示せず）に連結されるモジュールコネクター２と、共通電圧（Ｖｃｏｍ）を調整して揺れを最適化させる可変抵抗３が装着されたＰＣＢ１０とが備えられている。更に詳しくは、前記ＰＣＢ１０はテープ・キャリア・パッケージ（以下「ＴＣＰ」という）により前記液晶ファンネル部（図示せず）と電気的に連結されている。
【０００５】
そして、前記液晶表示装置１００は、図２に示すように、携帯用コンピュータ２００のシステムハウジング２１０に内装される。
この際、前記ＰＣＢ１０の上面は、前記システムハウジング２１０との接触が遮断されるように、全体的に保護カバー３０で覆われている。
このように、保護カバー３０で覆う直接的な理由は、通常、システムハウジング２１０は電磁妨害雑音（ＥＭＩ）を遮断するためにマグネシウム材質からなるが、そのマグネシウム材質のシステムハウジング２１０と前記ＰＣＢ１０とが直接に接触すると、ショートなどの回路不良が生じるため、これを予め防止するためである。
【０００６】
【発明が解決しようとする課題】
しかしながら、従来技術による前記液晶表示装置の保護カバー３０は次のような問題点があった。
【０００７】
液晶表示装置１００の組立において、ディスプレイモジュールとＰＣＢ１０、そして保護カバー３０がケース４０に結合されて液晶表示装置１００が一応完成すると、画面の揺れが生せず正確にディスプレイが行われるかどうかのテスト過程を経るが、この際、液晶ファンネル部に流入する共通電圧が間違って設定され、画面の揺れが生じると、テスト実行者は前記保護カバー３０をケース４０から分離させて前記ＰＣＢの上面を露出させた後、前記ＰＣＢ１０上に装着された可変抵抗３を操作して液晶ファンネル部に印加される共通電圧を調節しなければならず、テスト過程が複雑となる不具合があった。
【０００８】
また、使用中の液晶表示装置１００の修理時においてもケース４０から保護カバー３０を分離しなければならず手間がかかるという問題があった。
【０００９】
本願発明は、前記のような従来技術における問題点を解決するためのもので、液晶表示装置の保護カバーを改善して、回路不良の原因を予め遮断することは勿論、テスト時又は修理時の作業性を向上させるとともに、ＰＣＢのモジュールコネクターが容易に使用できるようにすることを目的とする。
【００１０】
【課題を解決するための手段】
上記目的を達成するために、本願発明はディスプレイモジュールを駆動させる回路と、システムのボードコネクターに連結されるモジュールコネクターと、共通電圧を調整して揺れを最適化させる可変抵抗が装着されたＰＣＢとがディスプレイモジュールの後面に備えられ、前記ＰＣＢの上面が保護カバーで覆われた液晶表示装置において、前記ＰＣＢの上面から保護カバー全体を取り外すことなく前記共通電圧の調整ができるように、前記保護カバーのうち前記可変抵抗が位置する部位に開閉構造が備えられることを特徴とする液晶表示装置の保護カバーを提供する。
【００１１】
前記の開閉構造に加えて、前記モジュールコネクターに前記ボードコネクターを着脱することができるように、前記保護カバーのうち、前記モジュールコネクターが位置する部位にボードコネクター着脱用の開閉構造が更に形成されることが好ましい。
【００１２】
【発明の実施の形態】
以下、本発明の好ましい実施形態を添付の図面に沿って詳細に説明する。
ここで、従来の技術と同一な構造に限っては従来と同じ符号を付する。
【００１３】
本願発明による液晶表示装置の保護カバーは、図３に示すように、ディスプレイモジュールを駆動させる回路１と、携帯用コンピュータ（図２の２００参照）のシステムのボードコネクター（図５の２２０参照）と連結されるモジュールコネクター２と、共通電圧を調整して揺れを最適化させる可変抵抗３が装着されたＰＣＢ１０とがディスプレイモジュールの後面に備えられ、前記ＰＣＢ１０の上面が保護カバーで覆われた液晶表示装置において、前記ＰＣＢの上面から前記保護カバー全体を取り外すことなく前記共通電圧調整ができるように、前記保護カバー３０のうち前記可変抵抗３が位置する部位に開閉構造が備えられたものである。
【００１４】
この際、前記開閉構造は、図３及び図４に示すように、前記保護カバー３０を前記可変抵抗３の位置及び大きさに応じてＵ字状に切開して、その切開部３１を上方向／下方向に折り曲げて開閉する構造であるのが好ましい。
【００１５】
そして、図３に示すように、前記切開部３１を容易に開くことができるように、前記切開部の先端の角部が面取りされ得る。
【００１６】
さらに、本願発明による液晶表示装置の保護カバー３０には、図３及び図５に示すように、前記モジュールコネクター２に対して前記システムのボードコネクター２２０着脱できるように、前記保護カバー３０のうち、前記モジュールコネクター２が位置する部位にボードコネクター着脱用開閉構造が更に備えられることが好ましい。
【００１７】
ここで、前記ボードコネクター着脱用開閉構造は、図３に示すように、前記モジュールコネクター２の先端に位置する保護カバー３０に薄いスリットを形成して、前記ボードコネクター２２０をモジュールコネクター２に差し込む時に開くことができ、かつ引き抜く時に閉まる構造であるのが好ましい。
【００１８】
以下、図３乃至図５を参照して、本願発明による保護カバー３０の切開部３１及びスリット３２の作用を更に詳しく説明する。
【００１９】
第一に、図３に示す切開部３１の面取り部分を引っ張ると、切開部３１の端は図４に示すように、反時計方向（矢印参照）に移動して切開部が開け、この際、ユーザが可変抵抗３を操作して画面が揺れないように共通電圧を調節する。そして、可変抵抗３の操作が終わると、保護カバー３０がビニル材質からなることにより、切開部の端は弾性によって自動的に時計方向に移動しつつ可変抵抗３を覆い、可変抵抗３とシステムハウジング（図２の２１０参照）が相互接触することを防ぐ。
【００２０】
第二に、図５のように、システムのボードコネクター２２０をモジュールコネクター２に差し込む時、スリット（図３の３２参照）側の保護カバー３０がボードコネクター２２０により押されつつスリットが開き、ボードコネクター２２０はスリットを介してモジュールコネクター２に差込可能となる。そして、ボードコネクター２２０をモジュールコネクター２から引き抜くと、スリット３２側の保護カバー３０が弾性によって復元されつつモジュールコネクター２を保護する。
【００２１】
以上説明した内容を通じて、当業者であれば本発明の技術思想を逸脱しない範囲内で多様な変更及び修正が可能であることがわかる。従って、本発明の技術的な範囲は明細書の詳細な説明に記載された内容に限定されるものでなく、特許請求の範囲によって定められなければならない。
【００２２】
【発明の効果】
以上説明したように、本発明によれば、液晶表示装置の保護カバーに切開部及びスリットを形成させたものであって、回路不良を予め遮断することは勿論、テスト時又は修理時に作業性を向上させるという効果がある。
そして、システムのボードコネクターをモジュールコネクターに容易に着脱できる効果がある。
また、ボードコネクターをモジュールコネクターに着脱する時、スリット側の保護カバーがボードコネクターの下部に位置することにより、ディスプレイモジュールの後面がスクラッチされることが予め防止できる。
【図面の簡単な説明】
【図１】従来技術による保護カバーが装着された液晶表示装置の背面図である。
【図２】液晶表示装置が装着された携帯用コンピュータを示す斜視図である。
【図３】本願発明による保護カバーが装着された液晶表示装置の背面図である。
【図４】図３のＩ−Ｉ断面図である。
【図５】図３のＩＩ−ＩＩ断面図である。
【符号の説明】
２：モジュールコネクター
３：可変抵抗
１０：ＰＣＢ
３０：保護カバー
３１：切開部
３２：スリット
２２０：システムのボードコネクター
【図１】
0003936241.tif 000002
【図２】
0003936241.tif 000003
【図３】
0003936241.tif 000004
【図４】
0003936241.tif 000005
【図５】
0003936241.tif 000006